(57)【要約】      （修正有）【課題】ハンドヘルド型デバイスを介した大データ組内の臨床データ項目に関するナビゲーション及び査読のためのシステム及び方法を提供する。【解決手段】複数の部分に分割された臨床データ組を提供する。各部分はグラフィック表示に関連付けされた複数のサブ部分（４０５）を含む。ユーザナビゲーションは、複数の部分にわたって様々なレベルの粒状度で容易にし（４１５、４２０、４２５、４３０）、サブ部分の内部の臨床データ項目を位置特定するようにある部分内部でサブ部分へのアクセスを可能にしている（４３０、４３５）。サブ部分の内部における臨床データ項目のユーザ選択を可能にしている（４３５、４４０、４４５、４５５）。選択した臨床データ項目はユーザインタフェースを介してロードされる（４６０）。【選択図】図４
2012038309.tif 000002
【特許請求の範囲】
【請求項１】
ユーザインタフェース（１７４５、１７５５）を有する移動式デバイス（１７４０、１７５０）を用いて大きなデータ組内の画像をナビゲーションするためのコンピュータ実現による方法（４００）であって、
ユーザ観察用の臨床データ組を提供するステップであって、該臨床データ組はその各々が１つのグラフィック表示に関連付けされると共に複数のサブ部分を含んだ複数の部分に分割されており、各部分ごとのグラフィック表示は、各部分のコンテンツを移動式デバイスにダウンロードすることなくそのグラフィック表示に従って移動式デバイスのユーザインタフェース上で複数の部分が観察可能となるようにしてユーザに対して表示される提供ステップ（４０５、４１０）と、
移動式デバイスのユーザインタフェースを介して複数の部分の間で様々なレベルの粒状度でのユーザナビゲーションを容易にするステップ（４１５、４２０、４２５、４３０）と、
１つの部分の内部の１つまたは複数のサブ部分へのユーザアクセスを可能にし、サブ部分の内部の臨床データ項目を位置特定するステップ（４３０、４３５）と、
移動式デバイスのユーザインタフェースを介した観察のためにサブ部分の内部における臨床データ項目のユーザ選択を可能にするステップ（４３５、４４０、４４５、４５５）と、
移動式デバイスのユーザインタフェースを介した観察のために選択した臨床データ項目をロードするステップ（４６０）と、
を含む方法（４００）。
【請求項２】
前記グラフィック表示は、臨床データ組の部分に関連付けされた画像サムネイルとアイコンのうちの少なくとも一方を含む、請求項１に記載の方法（４００）。
【請求項３】
前記画像サムネイルは、臨床データ組の部分の中間から取り込んだ画像のサムネイルを含む、請求項２に記載の方法（４００）。
【請求項４】
ズームユーザナビゲーションが行われると、選択した部分がユーザインタフェース（１７４５、１７５５）内部で周囲部分と共に拡大されかつ再位置決めされる、請求項１に記載の方法（４００）。
【請求項５】
ユーザが利用可能な最低レベルの詳細までナビゲーションした後に、部分を規定する個々のオブジェクトが外部データ保存から移動式デバイス（１７４０、１７５０）に転送されている、請求項１に記載の方法（４００）。
【請求項６】
前記臨床データ組は複数の臨床画像を含みかつ前記選択した臨床データ項目は選択した画像を含む、請求項１に記載の方法（４００）。
【請求項７】
メモリ、プロセッサ、ディスプレイを含むユーザインタフェース（５００、６００、７００、８００、９００、１０００、１１００、１２００、１３００、１４００、１５００、１６００、１７４５、１７５５）及び通信インタフェースを含むハンドヘルド型デバイス（１７４０、１７５０）であって、画像データ組（１１０）から画像データを取り出しかつ表示するために外部データ源（１７１０、１７２０）と通信するように構成されており、ユーザインタフェース（５００、６００、７００、８００、９００、１０００、１１００、１２００、１３００、１４００、１５００、１６００、１７４５、１７５５）を介した画像データ組（１１０）からの画像のユーザナビゲーション及び査読を容易にしているハンドヘルド型デバイス（１７４０、１７５０）を備えた画像観察／ナビゲーションシステム（５００、６００、７００、８００、９００、１０００、１１００、１２００、１３００、１４００、１５００、１６００、１７００、１８００）であって、
前記プロセッサは、
外部データ源（１７１０、１７２０）に保存された画像データ組（１１０）に対するアクセスを提供することであって、該画像データ組（１１０）はその各々が１つのグラフィック表示に関連付けされると共に複数のサブ部分（１３０、５１０、６２０、８１０、８２０、９１０、１１２０、１２１０、１３１０）を含んだ複数の部分（１２０、５１０、６２０、８１０、８２０、９１０、１１２０、１２１０、１３１０）に分割されており、各部分（１２０、５１０、６２０、８１０、８２０、９１０、１１２０、１２１０、１３１０）は、各部分（１２０、５１０、６２０、８１０、８２０、９１０、１１２０、１２１０、１３１０）ごとのグラフィック表示のコンテンツをハンドヘルド型デバイス（１７４０、１７５０）にダウンロードすることなくそのグラフィック表示に従ってユーザインタフェース（５００、６００、７００、８００、９００、１０００、１１００、１２００、１３００、１４００、１５００、１６００、１７４５、１７５５）を介して複数の部分（１２０、５１０、６２０、８１０、８２０、９１０、１１２０、１２１０、１３１０）に分割された画像データ組（１１０）が観察可能となるようにしてユーザに対して表示されているアクセス提供、
ユーザインタフェース（５００、６００、７００、８００、９００、１０００、１１００、１２００、１３００、１４００、１５００、１６００、１７４５、１７５５）を介した複数の部分（１２０、５１０、６２０、８１０、８２０、９１０、１１２０、１２１０、１３１０）にわたる様々なレベルの粒状度でのユーザナビゲーションを容易にすること、
サブ部分（１３０）内部での画像（１３２０、１５２０）の位置特定のために部分（１２０、５１０、６２０、８１０、８２０、９１０、１１２０、１２１０、１３１０）内部での１つまたは複数のサブ部分（１３０、５１０、６２０、８１０、８２０、９１０、１１２０、１２１０、１３１０）へのユーザアクセスを可能にすること、
ユーザインタフェース（１７４５、１７５５）を介した観察のためにサブ部分（１３０、５１０、６２０、８１０、８２０、９１０、１１２０、１２１０、１３１０）内部での画像（１３２０、１５２０）のユーザ選択を可能にすること、
ユーザインタフェース（５００、６００、７００、８００、９００、１０００、１１００、１２００、１３００、１４００、１５００、１６００、１７４５、１７５５）を介した観察のために通信インタフェースを介して外部データ源（１７１０、１７２０）から選択した画像（１３２０、１５２０）をロードすること、
を行うようにメモリ上にセーブされた命令を実行している、画像観察／ナビゲーションシステム（５００、６００、７００、８００、９００、１０００、１１００、１２００、１３００、１４００、１５００、１６００、１７００、１８００）。
【請求項８】
前記グラフィック表示は、画像データ組（１１０）の部分（１２０、５１０、６２０、８１０、８２０、９１０、１１２０、１２１０、１３１０）に関連付けされた画像サムネイルとアイコンのうちの少なくとも一方を含む、請求項７に記載のシステム（５００、６００、７００、８００、９００、１０００、１１００、１２００、１３００、１４００、１５００、１６００、１７００、１８００）。
【請求項９】
ズームユーザナビゲーションが行われると、選択した部分（１２０、５１０、６２０、８１０、８２０、９１０、１１２０、１２１０、１３１０）がユーザインタフェース（５００、６００、７００、８００、９００、１０００、１１００、１２００、１３００、１４００、１５００、１６００、１７４５、１７５５）内部で周囲部分（１２０、５１０、６２０、８１０、８２０、９１０、１１２０、１２１０、１３１０）と共に拡大されかつ再位置決めされる、請求項７に記載のシステム（５００、６００、７００、８００、９００、１０００、１１００、１２００、１３００、１４００、１５００、１６００、１７００、１８００）。
【請求項１０】
ユーザが利用可能な最低レベルの詳細までナビゲーションした後に、部分（１２０、５１０、６２０、８１０、８２０、９１０、１１２０、１２１０、１３１０）を規定する個々のオブジェクト（１３２０、１５２０）が外部データ保存（１７１０、１７２０）からハンドヘルド型デバイス（１７４０、１７５０）のメモリに転送されている、請求項７に記載のシステム（５００、６００、７００、８００、９００、１０００、１１００、１２００、１３００、１４００、１５００、１６００、１７００、１８００）。
【発明の詳細な説明】
【技術分野】
【０００１】
本発明は全般的には、大きなデータ組からの画像のアクセス及び査読に関する。さらに詳細には本発明は、ハンドヘルド型その他の移動式デバイスを介した大きなデータ組からの画像のアクセス及び査読に関する。
【背景技術】
【０００２】
最近の撮像スキャナ及び多重スライスデータの収集プロトコルに伴って、各検査ごとに利用可能な情報量がこの１０年間で指数関数的に増大した。放射線医やその他の臨床医は、１検査あたり１００枚以上の画像、また更には１０００枚の画像を有する検査にアクセスする可能性がある。新たな収集シーケンスや改良された検出器が開発されると、査読しようとする利用可能データの量が増加し続ける可能性が高い。
【発明の概要】
【発明が解決しようとする課題】
【０００３】
本発明のある種の実施形態は、ハンドヘルド型その他の移動式デバイスを介した大きなデータ組内の臨床データ項目（例えば、画像、レポート、記録及び／またはその他の臨床文書）に関するナビゲーション及び査読のためのシステム及び方法を提供する。
【課題を解決するための手段】
【０００４】
ある種の例は、ユーザインタフェースを有する移動式デバイスを用いて大きなデータ組内で画像をナビゲーションするためのコンピュータ実現による方法を提供する。本方法は、ユーザ観察用の臨床データ組を提供するステップを含む。この臨床データ組は複数の部分に分割されている。各部分は１つのグラフィック表示に関連付けされると共に複数のサブ部分を含んでいる。各部分ごとのグラフィック表示は、各部分のコンテンツを移動式デバイスにダウンロードすることなくそのグラフィック表示に従って移動式デバイスのユーザインタフェース上で複数の部分が観察可能となるようにしてユーザに対して表示される。本方法は、移動式デバイスのユーザインタフェースを介して複数の部分の間で様々なレベルの粒状度でのユーザナビゲーションを容易にするステップを含む。本方法は、１つの部分の内部の１つまたは複数のサブ部分へのユーザアクセスを可能にし、サブ部分の内部の臨床データ項目を位置特定するステップを含む。本方法は、移動式デバイスのユーザインタフェースを介した観察のためにサブ部分の内部における臨床データ項目のユーザ選択を可能にするステップを含む。本方法は、移動式デバイスのユーザインタフェースを介した観察のために選択した臨床データ項目をロードするステップを含む。
【０００５】
ある種の例は、実行したときにプロセッサに対して、ユーザインタフェースを有する移動式デバイスを用いて大きなデータ組内で臨床コンテンツをナビゲーションするための方法を実現させるような命令の組をその上に保存して有する有形のコンピュータ読み取り可能記憶媒体を提供する。本方法は、ユーザ観察用の臨床データ組を提供するステップを含む。この臨床データ組は複数の部分に分割されている。各部分は１つのグラフィック表示に関連付けされると共に複数のサブ部分を含んでいる。各部分ごとのグラフィック表示は、各部分のコンテンツを移動式デバイスにダウンロードすることなくそのグラフィック表示に従って移動式デバイスのユーザインタフェース上で複数の部分が観察可能となるようにしてユーザに対して表示される。本方法は、移動式デバイスのユーザインタフェースを介して複数の部分の間で様々なレベルの粒状度でのユーザナビゲーションを容易にするステップを含む。本方法は、１つの部分の内部の１つまたは複数のサブ部分へのユーザアクセスを可能にし、サブ部分の内部の臨床データ項目を位置特定するステップを含む。本方法は、移動式デバイスのユーザインタフェースを介した観察のためにサブ部分の内部における臨床データ項目のユーザ選択を可能にするステップを含む。本方法は、移動式デバイスのユーザインタフェースを介した観察のために選択した臨床データ項目をロードするステップを含む。
【０００６】
ある種の例は画像観察／ナビゲーションシステムを提供する。本システムは、メモリ、プロセッサ、ディスプレイを含んだユーザインタフェース及び通信インタフェースを含んだハンドヘルド型デバイスを含む。ハンドヘルド型デバイスは、画像データ組から画像データを取り出しかつ表示するために外部データ源と通信するように構成されている。ハンドヘルド型デバイスは、ユーザインタフェースを介した画像データ組からの画像に対するユーザナビゲーション及び査読を容易にする。プロセッサは、外部データ源に保存されている画像データ組に対するアクセスを提供するためにメモリ上にセーブされている命令を実行する。画像データ組は複数の部分に分割されている。各部分は１つのグラフィック表示に関連付けされると共に複数のサブ部分を含んでいる。各部分ごとのグラフィック表示は、各部分のコンテンツを移動式デバイスにダウンロードすることなくそのグラフィック表示に従ってユーザインタフェースを介して複数部分に分割された画像データ組が観察可能となるようにしてユーザに対して表示される。ユーザナビゲーションは、ユーザインタフェースを介して複数の部分の間で様々なレベルの粒状度で容易にしている。サブ部分の内部における画像の位置特定のために１つの部分の内部の１つまたは複数のサブ部分へのユーザアクセスを可能にしている。ユーザインタフェースを介した観察のためにサブ部分の内部における画像のユーザ選択を可能とさせている。選択された画像は、ユーザインタフェースを介した観察のために通信インタフェースを介して外部データ源からロードされる。
【図面の簡単な説明】
【０００７】
【図１】ユーザアクセス及び査読のためにデータチャンクまたはセクションに分割された例示の大データ組を表した図である。
【図２】大きな画像データ組内でデータチャンクの次のレベルへの例示のナビゲーションまたは「ズーム動作」を表した図である。
【図３】データチャンクを規定する個々のオブジェクトを含んだ画像データマップで利用可能な最下位詳細レベルへの例示のナビゲーションを表した図である。
【図４】大データ組アクセス及び査読のための例示の方法に関する流れ図である。
【図５】観察用デバイス上での大きな画像データ組内部の表示及びナビゲーションに関する例示のビューを表した図である。
【図６】観察用デバイス上での大きな画像データ組内部の表示及びナビゲーションに関する例示のビューを表した図である。
【図７】観察用デバイス上での大きな画像データ組内部の表示及びナビゲーションに関する例示のビューを表した図である。
【図８】観察用デバイス上での大きな画像データ組内部の表示及びナビゲーションに関する例示のビューを表した図である。
【図９】観察用デバイス上での大きな画像データ組内部の表示及びナビゲーションに関する例示のビューを表した図である。
【図１０】観察用デバイス上での大きな画像データ組内部の表示及びナビゲーションに関する例示のビューを表した図である。
【図１１】観察用デバイス上での大きな画像データ組内部の表示及びナビゲーションに関する例示のビューを表した図である。
【図１２】観察用デバイス上での大きな画像データ組内部の表示及びナビゲーションに関する例示のビューを表した図である。
【図１３】観察用デバイス上での大きな画像データ組内部の表示及びナビゲーションに関する例示のビューを表した図である。
【図１４】観察用デバイス上での大きな画像データ組内部の表示及びナビゲーションに関する例示のビューを表した図である。
【図１５】観察用デバイス上での大きな画像データ組内部の表示及びナビゲーションに関する例示のビューを表した図である。
【図１６】観察用デバイス上での大きな画像データ組内部の表示及びナビゲーションに関する例示のビューを表した図である。
【図１７】本明細書に記載したシステム、装置及び方法で使用される例示の臨床システムを表した図である。
【図１８】本明細書に記載したシステム、装置及び方法の実現のために使用し得る例示のプロセッサシステムのブロック図である。
【発明を実施するための形態】
【０００８】
上述した要約、並びに本発明のある種の実施形態に関する以下の詳細な説明は、添付の図面と共に読むことによってさらに十分な理解が得られよう。本発明の例証を目的として、図面ではある特定の実施形態を示している。しかし本発明は、添付の図面に示した配置や手段に限定するものではないことを理解すべきである。
【０００９】
以下ではハードウェア上で実行されるソフトウェア（ただし、この構成要素に限らない）を含む例示の方法、システム、製造物及び装置を開示しているが、こうした方法及び装置は単に例示であり、限定と見なすべきでないことに留意すべきである。例えば、これらのハードウェア及びソフトウェア構成要素のいずれかまたは全部は、ハードウェア単独で、ソフトウェア単独で、ファームウェア単独で、あるいはハードウェア、ソフトウェア及び／またはファームウェアの任意の組み合わせによって具現化することも可能であることが企図される。したがって、以下において例示の方法、システム、製造物及び／または装置について記載しているが、提供した例がこうした方法、システム、製造物及び／または装置を実現するための唯一の方法ではない。
【００１０】
添付の特許請求の範囲のいずれかの請求項が純粋にソフトウェア及び／またはファームウェアの実現形態を包含するように読める場合、少なくとも１つの例の要素のうちの少なくとも１つがこれによって、ソフトウェア及び／またはファームウェアを格納しているメモリ、ＤＶＤ、ＣＤ、ブルーレイその他などの有形媒体を含むように明示的に規定されるものとする。
【００１１】
ある種の例は、移動式デバイス上の大きなデータ組に関する編成及び観察に対処するためのシステム及び方法を提供する。遠隔のプロバイダとワイヤレス通信する機能を具備する移動式デバイスを用いると、診断画像のコンピュータ読み取りが容易となる。さらに、データ組のラージプールからより小さいデータ部分組にアクセスしかつ観察するためには、コンピュータまたはプロセッサベースの別のデバイスを用いることが可能である。
【００１２】
ある種の例は、エンドユーザ待ち時間及びデータ転送時間を最小化（例えばバンド幅の使用、移動式デバイスの電池使用量、並びにエンドユーザのワイヤレスデータプランに関するネットワーク通信コストの最小化に変換される）しながら大きなデータ組から所望のデータに迅速にアクセスするように大きなデータ組中のナビゲーションに関連する問題点に対処している。
【００１３】
最近の撮像スキャナ及び多重スライスデータの収集プロトコルに伴って、各検査ごとに利用可能な情報量がこの１０年間で指数関数的に増大した。１検査あたり１００枚以上の画像、また更には１０００枚の画像を有する検査にアクセスすることも珍しいことではない。検出器の改良が継続しかつ新たな収集シーケンスが開発されるに連れて、利用可能なデータ量も増大を続けることになろう。ワイヤレスデバイスでは、特にＧＳＭテクノロジー更には３Ｇ、ＷｉＭＡＸ及び４Ｇの最近の転送速度の改善に伴って、この量のデータを如何に高速に取り出すかは利用可能なバンド幅によって制限される。エンドユーザがアクセスする必要があるのはデータ組全体ではなく、そのデータのうちその移動式デバイスからフィードバックを求めている同僚の医師の観察及び支援のためのある小さな部分組だけであることが多い。
【００１４】
開示したある種のシステム及び方法は、転送時間及びダウンタイム（例えば、ユーザが所望の画像へのアクセスを待つ時間）を最小化する一方で査読のために求められる画像及び／またはその他の臨床コンテンツに対する高速のユーザアクセスを可能にするのに役立つ。適応型の解決法及びストリーミングテクノロジーは移動式インターネットデバイスからのデータへのアクセスの増大に役立っているが、利用可能な情報量の増大はユーザによる所望のデータへの高速アクセスを提供する点では問題を生じる。したがって本明細書に記載したある種の例は、移動式デバイスを介して大きなデータ組内の個々のデータに簡単かつ高速のアクセスを提供するのに役立つ。
【００１５】
図１に示した例などのある種の例では、元のまたは完全なデータ組１１０がデータチャンク、部分またはセクション１２０に分割またはスライスされており、ここで各チャンク１２０は元のデータ組に対するある百分率として規定される。例えば各チャンク１２０は、データ組の各１０％（ただし、これに限らない）とすることが可能である。各チャンク１２０は、１つまたは複数のサブチャンク、サブ部分またはサブセクション１３０から形成することが可能である。各サブチャンク１３０は、１組の連続するデータオブジェクトを含む。１組または複数組のデータオブジェクト１３０（例えば、画像、レポート、記録及び／または別の電子文書などの臨床データ項目）は１つまたは複数のペアレントチャンク１２０に属させることが可能である。
【００１６】
ユーザがズームマップ内のあるエリア上にズームインする際に、データに指標付けした後にアクセスすることが可能である。ユーザがデータのある具体的なエリアにズームインすると、ユーザは互いにリンクされた次のレベルのチャンクデータへのアクセスをもつ。ユーザがズームアウトして別のセクションまたはチャンク１２０にナビゲーションすると、ユーザは次のレベルのデータ部分組へのアクセスを得る。マップベースのズームイン／アウトのナビゲーションによって、ある具体的な部分組を見出すようなデータマップ内のユーザによるナビゲーションのための効率のよい方法が可能となる。
【００１７】
ユーザが１つまたは複数のデータ組１１０のナビゲーションのためにデータビューワ構成要素及び／またはその他の構成要素にアクセスすると、関連するアプリケーションによって各データチャンク１２０ごとに当該チャンクの主要または代表画像または部分により示されるソフトウェアオブジェクトが要求される。この主要または代表部分は、データマップの各セクションのメディアン（ｍｅｄｉａｎ）データオブジェクト（ただし、これに限らない）と規定することが可能である。別法として主要オブジェクトは、チャンク１２０の第１のオブジェクト、最終のオブジェクト、有意のオブジェクト、あるいは別のオブジェクトと規定することが可能である。
【００１８】
ユーザがデータのある具体的なチャンク１２０までナビゲーションすると、このチャンク１２０内部に包含されたサブチャンク１３０がロードされユーザに対して表示される。例えば図２に示したように、次のレベルのチャンクへのナビゲーションまたは「ズーム動作」は、画面のスワイプ、ユーザインタフェース制御ウィジェットのスライド動作、あるいは別のナビゲーション技法などのジェスチャ２１０によって実現することが可能である。さらに、情報細目の層間またはレベル間での視覚的遷移は例えば、主要オブジェクトの次のレベルのアニメーション表示またアブラプト（ａｂｒｕｐｔ）な表示によって示すことが可能である。
【００１９】
ある種の例では、データマップ内のレベル数またはセクション数に対して課される制限はない。レベル数またはセクション数は、元のデータ組のサイズ並びに１つの粒状度レベルあたりユーザに対してどれだけの主要または有意データオブジェクトを表示させるかによって規定される。
【００２０】
ユーザがズームインして次のデータセクションまでナビゲーションする際に、ユーザは異なるデータ粒状度レベルを観察するためにズームインあるいはズームアウトすることが可能である。ズーム動作とは、データチャンクの各レベル（例えば、データ粒状度レベル）間でのナビゲーションを意味する。ズームアウトによってユーザは、データマップ内のデータセクションのより高いレベルに移ることが可能となり、またズームインによってユーザは、そのセクション内部の次のすなわちより低い（例えば、より細かい）詳細レベルに移ることが可能となる。
【００２１】
上に記載したある種の例は画像データの連続する大きな組のナビゲーションを目的としているが、ある種の例は、医用検査画像データ組のペアレントコンテナに関するナビゲーションを容易にする。スタディまたは検査によって複数の画像シリーズが得られることがあり、またユーザがデータ組間の迅速なナビゲーションを希望することがある。本明細書で検討しているナビゲーション技法及びシステムを用いることによってユーザは、利用可能なデータの部分及びサブ部分に基づいてシリーズ間を「ジャンプ」すること並びに各シリーズ内部に包含された様々な粒状度レベルに迅速にダイブすることが可能である。同様に画像シリーズナビゲーションでは、ユーザはデータマップベースのインタフェースを用いて選択したシリーズ内部で観察しようとする１組の画像を選択することが可能である。
【００２２】
例えば図３に示したように、ユーザがデータマップで利用可能な最下位の詳細レベルまでナビゲーションすると、ユーザによるアクセスのためにデータチャンクを規定する連続する個々のオブジェクトがユーザの移動式デバイスに転送される。これらのオブジェクトをロードするためのロジック及び／またはアルゴリズムは、メディアンロード及び／またはその他のロード技法（ただし、これらに限らない）とすることがある。選択されたオブジェクト３１０がロードされ、続いて移動式デバイス上でまだロードされていない選択オブジェクトの直ぐ左側３２０と直ぐ右側３３０に各オブジェクトがロードされる。次いで、オブジェクトの連続する全体組がユーザの移動式デバイス上にロードし終わるまで、選択オブジェクトの左側と右側でまだロードされていない次のオブジェクトがロードされる。
【００２３】
任意の時点でユーザは、オブジェクトのペアレントレベル内の別の領域を選択するためにズームアウトすることが可能である。ユーザがズームアウトすると、システムリソースがそれを実施できるだけ利用可能であればロード処理をバックグラウンドで継続することが可能である。ある種の例ではユーザにロード処理状況を知らせるために、プログレスバーやスライダー制御などのロード処理進行に関する視覚的指示が表示される。
【００２４】
一例では、ＡｐｐｌｅのｉＰｈｏｎｅ（商標）など移動式デバイスのタッチパッドＬＣＤディスプレイを用いて大きな画像群を提示すると共に、査読のために所望の画像または画像組への直観的で簡単なアクセスを提供している。
【００２５】
一例ではその移動式デバイスは、画像チャンクの各レベル間のナビゲーションのためにユーザに対して２本指のズームジェスチャの使用を可能にしている。２本指ズームを用いる場合、ユーザがアクセス可能な画像群内のより低レベルの粒状度は当該ジェスチャのユーザの２本の指の間がより大きな距離であることに対応することになる。逆に、ユーザの２本の指の間の距離がより近いことは、そのアクセスによりズームさせる画像群のレベルがより高いことに対応する。
【００２６】
一例では、２本指のズームジェスチャを用いて画像群のより低いレベルにアクセスする際にユーザは、ダブルタッピングアクセスを使用して、画面上に提示されるある具体的な画像とリンクした最も低い画像群（複数のこともある）にアクセスすることが可能である。最も低い群は、その指標及び／または時間に基づいて画像の連続組を基準として示される。最も高い画像群（複数のこともある）は、群ヘッディングとして示される画像組（表示されるエリアに関する最も有意の画像である可能性が高い）によって表示される。
【００２７】
一例ではエンドユーザは、画像に対するタッピングさもなければハイライト処理によって様々な群から複数の画像を選択することが可能である。ユーザは、非連続の画像を選択するためにレベル間でナビゲーションすることが可能である。各画像群が十分に近ければユーザは、例えば左または右へのスワイプ動作を用いて連続する画像群にアクセスして選択を実行することが可能である。
【００２８】
図４は、例えば解剖学的画像及び関連する臨床根拠に関する査読を容易にするために使用可能なコンピュータ読み取り可能命令を用いて実現可能な処理法を表した例示の流れ図を示している。図４の例示の処理法は、プロセッサ、コントローラ及び／または適当な別の任意の処理デバイスを用いて実施することが可能である。例えば図４の例示の処理法は、フラッシュメモリ、読み出し専用メモリ（ＲＯＭ）及び／またはランダムアクセスメモリ（ＲＡＭ）などの有形のコンピュータ読み取り可能媒体上に保存されたコード化命令（例えば、コンピュータ読み取り可能命令）を用いて実施することが可能である。本明細書で使用する場合に、有形のコンピュータ読み取り可能媒体という用語は、任意のタイプのコンピュータ読み取り可能記憶媒体を含みかつ伝播する信号は含まないものと明確に規定している。追加としてまたは別法として図４の例示の処理法は、フラッシュメモリ、読み出し専用メモリ（ＲＯＭ）、ランダムアクセスメモリ（ＲＡＭ）、ＣＤ、ＤＶＤ、ブルーレイ、キャッシュ、あるいは任意の期間にわたって（例えば、長期間にわたって、恒久的に、短い瞬時で、一時的なバッファリングのため、及び／または情報をキャッシュするために）その中に情報が保存される別の任意の記憶媒体などの非一時的な（ｎｏｎ−ｔｒａｎｓｉｔｏｒｙ）コンピュータ読み取り可能媒体上に保存されたコード化命令（例えば、コンピュータ読み取り可能な命令）を用いて実施することが可能である。本明細書で使用する場合に、非一時的なコンピュータ読み取り可能媒体という用語は、任意のタイプのコンピュータ読み取り可能媒体を含みかつ伝播信号は含まないものと明確に規定している。
【００２９】
別法として図４の例示の処理法の一部または全部は、特定用途向け集積回路（複数のこともある）（ＡＳＩＣ（複数のこともある））、プログラム可能ロジックデバイス（複数のこともある）（ＰＬＤ（複数のこともある））、現場プログラム可能ロジックデバイス（複数のこともある）（ＦＰＬＤ（複数のこともある））、離散ロジック、ハードウェア、ファームウェア、その他の任意の組み合わせ（複数のこともある）を用いて実施することが可能である。さらに図４の例示の処理法の一部または全部は、マニュアル式によるか、あるいは上述の技法のいずれかの任意の組み合わせ（複数のこともある）、例えばファームウェア、ソフトウェア、離散ロジック及び／またはハードウェアの任意の組み合わせとして実現可能である。さらに、図４の例示の処理法について図４の流れ図を参照しながら記載しているが、図４の処理法を実現する別の方法が利用されることもある。例えば、これらのブロックを実行する順序は変更可能であり、かつ／または記載したブロックのうちの幾つかを変更する、排除する、細分割する、あるいは合成することがある。さらに、図４の例示の処理法のいずれかまたは全部は逐次式で実行すること、かつ／または例えば単独の処理スレッド、プロセッサ、デバイス、離散ロジック、回路、その他によって並列で実行することが可能である、
図４は、大データ組のアクセス及び査読に関する例示の方法４００の流れ図を表している。４０５では、大きな画像組が画像バンドルまたは部分に分割される。各バンドルは、全体組にわたってある百分率の画像を含む。
【００３０】
４１０では、ユーザはその画像組全体にわたってサムネイルのサンプリングをスキャンしそのシリーズ内で自分が観察を希望する点を見出すことが可能である。４１５では、画像サムネイル／ブロックのタッピングによって（及び／または、ピンチジェスチャを用いることによって）選択したバンドルにズームインする。４２０では、選択したブロックを取り囲むブロックもレンダリングされる。４２５では、選択されたバンドルと周囲のバンドルが表示グリッド内で選択に利用可能となる。
【００３１】
４３０では、ユーザナビゲーション（例えば、上、下、左または右への指のスワイプを介する）によって次の画像バンドルまたは直前の画像バンドルにユーザを移行させている。４３５ではユーザは、サムネイルまたはブロックを再度タッピングすることが可能である。４４０では、表示がズームインすると共に、インタフェース内に選択したブロックが再位置決めされる。４４５では、最下位詳細レベルには選択すべきブロックまたはバンドルがもはや存在しない。むしろユーザによる観察及び選択のために、個々の画像を表すサムネイルまたはアイコンが位置決めされる。
【００３２】
４５０では、ユーザはジェスチャベースのナビゲーション及び／または別のナビゲーションを用いて再度ズームアウトすることが可能である。４５５では、最低のズームレベルにおける画像サムネイルのタッピングによって選択した画像を取り囲む画像のロードが開始される。４６０では、選択した画像がビューワにロードされる。
【００３３】
本明細書に記載したように方法４００は、ハンドヘルド型及び／または別の移動式デバイスを例えばハードウェア、ソフトウェア及び／またはファームウェアの１つまたは複数の組み合わせの形で用いて実施することが可能である。方法４００は、１つまたは複数の外部システム（例えば、データ源、ヘルスケア情報システム（ＲＩＳ、ＰＡＣＳ、ＣＶＩＳ、ＨＩＳ、その他）、アーカイブ、撮像モダリティ、その他）と連携させた移動式デバイスによって動作させることが可能である。方法４００の１つまたは複数の構成要素は、例えば具体的な実現形態に基づいて記録、排除及び／または反復させることが可能である。
【００３４】
図５は、大きなデータ組（例えば、大きな画像データ組）の例示のビュー５００を表している。データ組５００は２５個の画像「バンドル」５１０に分割されている。各バンドル５１０は、全体データ組５００からのある百分率の画像を含む。図５の例では、各バンドル５１０は６０枚の画像を含む。バンドル５１０の高さは、バンドル内の画像の数を視覚的に示している。サムネイルまたはバンドル５１０を示す別のアイコンのサイズはズームのレベルを示している。幾つかの例では、バンドルから取り込んだ（例えば、バンドルの中間から取り込んだ）サムネイル画像をバンドル５１０の最上部に表示している。
【００３５】
ビュー５００はさらに、データ組内の画像の総数に関する英数字式インジケータ５２０を含むことが可能である。ワークリストボタンまたは別のアイコン５３０によって例えば臨床医のワークリストに戻るリンクが提供される。サムネイル設定ボタンまたは別のアイコン５４０によってユーザは、サイズ、ズーム率、その他といったビュー５００に関する画像サムネイル設定を観察する（また幾つかの例では、修正する）ことが可能となる。幾つかの例では、サムネイルのロード処理及び／または別の処理アクティビティの実施中に画像バンドルと連携してアクティビティインジケータ５５０が表示される（対応している場合）。インジケータ５５０は、例えば追加の情報（例えば、サムネイル画像）がもうすぐに与えられることをユーザに伝える。
【００３６】
図６は、大きな画像データ組の例示のビュー６００を表している。図６に示したようにユーザは、その画像組全体にわたってサムネイルのサンプリングをスキャンしそのシリーズ内で自分が観察を希望する点を見出すことが可能である。バンドル６２０を表す画像サムネイル／ブロックのタッピング６１０によって（及び／または、ピンチジェスチャを用いることによって）選択したバンドル６２０にズームインする。図７は、ユーザがバンドル７１０にズームインするためにバンドル７１０をタッピングしているビュー７００を表している。選択したバンドル７１０のサイズが大きくなる一方は、例えば周囲のバンドル７２０はフェードアウトする。幾つかの例では、バンドル７１０上にズームインしたときにビューワの進行に関してユーザにアラートを出すためにプログレスバー７３０（対応している場合）が表示される。
【００３７】
例えば図８に示したように、目下の選択組８１０内の画像の部分組である追加のバンドル８２０が、ズームしようとする選択バンドル８１０と一緒に表示される。図８に示した例８００では追加のバンドル８２０は、トランプがカード山から配られるようにして選択組８１０の後ろ側からアニメーションで出される。幾つかの例では、サムネイルをロードしている間、アクティビティインジケータ８３０（対応している場合）が表示されている。図９の例示のビュー９００に示したように、各画像バンドル９１０はグリッドパターンに置かれることになる。ズームレベルは、サムネイルのサイズ及びバンドル９１０の高さによって視覚的に示される。図９の例では、バンドル高さは画像５枚分である。インジケータ９２０は、ズーミングした組内の画像の総数を提供する。
【００３８】
図１０は、画像データ部分組の内部の例示のナビゲーションビュー１０００を表している。ビュー１０００内では、より低いズームレベルにおける上、下、左及び／または右へのスワイプ動作１０１０（図１０参照）によってユーザは次の（または、直前の）画像バンドルに移行する。幾つかの例では、サムネイル及び／または別の関連する情報がロードされている間にアクティビティインジケータ１０２０及び／またはプログレスバー１０３０が表示される（対応している場合）。
【００３９】
例えば図１１のビュー１１００に示したように、サムネイルまたはブロック１１２０上でのタッピング１１１０によって（あるいは、ピンチジェスチャを用いて）ズーム動作させるためのバンドルまたはブロック１１２０が選択される。図１２はビュー１２００を表しており、このビュー１２００内において選択したバンドルまたはブロック１２１０がズーミングされかつ再位置決め１２２０されている。図１３はビュー１３００を表しており、選択したバンドル１３１０内の画像１３２０は選択した画像１３１０の後ろ側からビュー１３００上に「配られ」ている。最下位詳細レベルには、選択すべきブロックやバンドルはもはや存在しない。むしろユーザによる観察及び選択のために、個々の画像を表すサムネイルまたはアイコンが位置決めされる。
【００４０】
例えば図１４に示したように、ユーザはジェスチャベースのナビゲーション及び／または別のナビゲーションを用いて再度ズームアウトすることが可能である。例えばユーザはダブルタップ１４１０及び／またはピンチ１４２０によってズームアウトすることが可能である。図１５のビュー１５００に示したように、最低のズームレベルにおける画像１５２０サムネイルのタッピング１５１０によって選択した画像１５２０を取り囲む画像１５３０のロード、並びにビューワ内における選択画像１５２０の発現が開始される。例示のビュー１５００は、選択した画像１５２０から前方向及び後方向への画像のロードを表している。図１６は、選択した画像がビューワ１６００内にロードされたところを表している。
【００４１】
データ組及びそのバンドル内に含まれる画像としては、多種多様なモダリティ（例えば、コンピュータ断層（ＣＴ）、ディジタル放射線撮像（ＤＲ）、磁気共鳴（ＭＲ）、超音波、陽電子放出断層（ＰＥＴ）及び／または核医学撮像）からの２次元及び／または３次元画像を含むことが可能である。これらの画像は１つまたは複数のソースから取り出すことが可能である。画像は、観察用デバイス上に圧縮形式及び／または非圧縮形式で保存することが可能である。画像は、観察用デバイスから遠隔に保存しておき、ユーザが観察のために取り出すバンドル（複数のこともある）に従うなどにより観察用デバイスにダウンロードすることが可能である。すなわち、ユーザによるズーム動作及び／または観察のために画像のバンドルまたは部分組が選択されたときに、大きな画像データ組のうちの１つまたは複数の部分組を観察用デバイスに転送することが可能である。
【００４２】
ある種の例では、大きな画像シリーズ内をより有効にナビゲーションするために３次元（３Ｄ）圧縮を用いて薄いスライスから厚いスラブ（ｓｌａｂ）を作成することが可能である。３Ｄ観察によれば、２次元（２Ｄ）のスライス単位の観察、並びにスライス内のズーム及び３Ｄを介したランダムアクセスが可能となる。３Ｄの無損失マルチ分解能画像圧縮を用いることによって、複数の薄いスライスを用いてスラブすなわち厚いスライスを作成することが可能である。一例では、厚いスラブを累進的に分解してユーザに詳細を提供するために、アキシャルデコード、空間デコード及びウェーブレット変換が用いられる。ハフマン符号化、位置符号化その他などの技法を使用することが可能である。３Ｄ差分パルスコード変調（３Ｄ  ＤＰＣＭ）を用いて圧縮済みのビットストリームを形式変換済み画像（複数のこともある）に直接デコードすることによって、デコード及びマルチプラナー再構成（ＭＰＲ）の場合と比べて導入される遅延がより少なくなる。３Ｄ  ＤＰＣＭを用いる場合、２Ｄスライスのスタックは圧縮、エンコード及びデコードのための３Ｄボリュームと見なされる。画像データに対して変換／予測を適用することによって、画像を再構成するために統計的冗長性の除去を提供するようなエネルギーコンパクション及びエントロピー符号化が可能となる。
【００４３】
ある種の実施形態では、スマートフォン、ウルトラモバイル及び小型のネットブックコンピュータ、携帯情報端末（ｐｅｒｓｏｎａｌ  ｄｉｇｉｔａｌ  ａｓｓｉｓｔａｎｔ）、その他（ただし、これらに限らない）といった移動式デバイスは、電話機能以外に多くの用途を提供する。ある種の実施形態によれば臨床エンドユーザは、移動式デバイスを介してその同僚、患者及び病院事業との連携を強化することが可能となる。
【００４４】
ディレクトリ、カレンダー、地理的位置特定、電話サービス、テキストメッセージ、ｅメールサービス、その他（ただし、これらに限らない）といった移動式デバイスの事業機能を、ＰＡＣＳ、ＨＩＳ、ＲＩＳ、その他（ただし、これらに限らない）といった様々な臨床情報源からの臨床情報と一体化することによって、エンドユーザは患者中心の情報へのアクセスが可能となり、また特定の患者症例に関する連携のために別のエンドユーザとのリアルタイムのまたは実質的にリアルタイムの連携が可能となる。この連携によって複数のメディアサービスを用いてリアルタイムまたは実質的にリアルタイムでの情報の共有及び記録が可能となる。
【００４５】
ある種の例では移動式（例えば、ハンドヘルド型）デバイスによってユーザは、移動式またはハンドヘルド型デバイス（ｉＰａｄ（商標）、ｉＰｈｏｎｅ（商標）、ＢｌａｃｋＢｅｒｒｙ（商標）、その他など）を介して１つまたは複数の臨床システム上に保存された医用コンテンツの表示及びこれとの対話が可能となる。ユーザは、検査及び別の医用コンテンツに関する分析及びレポート作成のために、コンテンツを操作し、異なるコンテンツにアクセスしかつ別のユーザと連携することが可能である。幾つかの例では、デバイスの向き及び／または位置が変化すると、患者コンテンツ及び患者情報の以前の画面（複数のこともある）を閉じたり失ったりすることなくデバイスモード及び利用可能なツールの組が変更されることになる。画像に対しては、デバイスを介して操作、アノテーション、ハイライト処理及び計測が可能である。ユーザが別のユーザと文書上でリアルタイムで連携し、かつＲＩＳ、ＰＡＣＳ、ＥＭＲ、その他などのシステムからのコンテンツにアクセスして、ハンドヘルド型デバイスを介して変更を実施できるように事業機能及びリアルタイムの連携が提供される。
【００４６】
ハンドヘルド型デバイスは、複数のモードを介した医用コンテンツの表示及びこれとの対話が可能である。各モードは、異なるコンテンツ及び関連するツールを含む。複数のモードの各々は、モード間で患者コンテンツを維持しながらデバイスの向き及び／または位置の変化に基づいてアクセス可能である。ハンドヘルド型デバイスはさらに、医用コンテンツの表示、操作及びアノテーションに関する医用コンテンツ分析機能、並びにユーザによるマルチタッチ制御を用いたユーザ連携のためのコンテンツのリアルタイム共有を含む。ハンドヘルド型デバイスは、１つまたは複数の臨床システムからの情報に実質的にリアルタイムでアクセスしかつ修正するために１つまたは複数の臨床システムと通信する。
【００４７】
ハンドヘルド型デバイスはユーザのワークフローを容易にするために使用することが可能である。例えばハンドヘルド型デバイスは、加速度計及び／または全地球的測位センサ及び／または別の位置／動作インジケータを用いて患者コンテンツ及び機能に関する様々な画面のユーザによるナビゲーションを可能にしている。指のタッチ、ピンチ、スワイプ、その他などディスプレイ表面上またはその近傍におけるジェスチャを用いることによって、大きな画像データ組内の画像（複数のこともある）内のナビゲーション及びその観察を容易にすることが可能である。幾つかの例では、コンテンツの操作及び修正のためにマルチタッチ機能が提供される。ハンドヘルド型デバイスを介してユーザは、外部入力デバイスを追加することなく入力及び／または操作が可能となる。
【００４８】
ある種の例では、ハンドヘルド型デバイスはユーザに対して再設定性の強化を提供する。例えばデバイスは、デバイスの位置及び／または向きに対するトラッキング並びに位置／向きへの変更に対する応答によって、エンドユーザによる変更に関する取り消し（ｕｎｄｏ）、消去及び／またはデフォルト設定へのリセットが可能である。デバイスは、追加のユーザインタフェース制御入力を用いることなく取り消し及び再開が可能である。デバイスは、例えばユーザフィードバックを通じてしきい値パラメータを調整することが可能である（例えば、ユーザの持ち運びや保持の際に目下の設定ではデバイスを正常に動かすには敏感すぎることがある）。
【００４９】
ある種の例は移動式デバイス内に事業機能を組み込んでいる。例えば移動式デバイスを介して、ディレクトリ、カレンダー、地理的位置特定、電話サービス、テキストメッセージ、ｅメール、その他などの機能を提供することが可能である。移動式デバイスを介すると、ＰＡＣＳ、ＨＩＳ、ＲＩＳ、ＥＭＲその他などの様々な情報源からの臨床情報を提供することが可能である。移動式デバイスインタフェースは、別のエンドユーザとのリアルタイムでの連携を容易にすることが可能である。複数のメディアサービスを用いて例えばリアルタイムまたは実質的にリアルタイムでの情報の共有及び記録を容易にすることが可能である。この移動式デバイスによってユーザは、査読中の臨床コンテンツに対して切替えや脱出をすることなく１人または複数人のエンドユーザと連携しかつ例えば臨床コンテンツの目下の状態を失うことなく医用データを交換しながら、患者情報及び分析に集中することが可能となる。この移動式デバイスは、例えば様々な情報システム全体にわたる情報のクエリー及びアクセスが可能な統一的な通信／連携点を提供する。
【００５０】
ある種の例は、移動式デバイスを介したユーザ認証を容易にする。例えば移動式デバイスは、機密情報及び／または私的情報に対するユーザのアクセスを認証することが可能である。ある種の実施形態ではその移動式デバイスにおけるユーザ認証はユーザに識別子やパスワードの入力を要求していない。これに代えてユーザを既知とすると共に、移動式デバイスは目下のユーザが当該のコンテンツ／アプリケーションに関する認証を受けているかどうかを確認する。認証は例えば、そのデバイスに関する一意の識別番号、接続パラメータ、及びユーザが入力するＰＩＮ番号に基づく。
【００５１】
幾つかの例ではユーザに対して、スマートフォン（例えば、ＢｌａｃｋＢｅｒｒｙ（商標）、ｉＰｈｏｎｅ（商標）、その他）やｉＰｏｄ（商標）やｉＰａｄ（商標）などの別のハンドヘルド型デバイスを用いた知見や知見のウォークスルーを共有する能力が提供される。例えば医師は、読み取りを再生することによってその患者に関する知見を検討することが可能である。幾つかの例ではユーザに対して、ワークステーションの近くにいない専門家及び／または別の放射線医からその知見に関するセカンドオピニョンを得る能力が提供される。読み取りする放射線医は専門家とコンタクトをとってセカンドオピニョンを求めると共に、同じ処置に関するフィードバック（例えば、論評及び／またはアノテーション）を提供することが可能である。最初の医師は第２の放射線医のアノテーションを査読すると共に承認または編集（例えば、変更のトラッキングによる文書査読）を行うことが可能である。
【００５２】
上述のシステム及び方法は、図１７に示した例示の臨床事業システム１７００などの臨床事業システム内に含めることが可能である。システム１７００は、データ源１７１０と、外部システム１７２０と、ネットワーク１７３０と、第１のユーザインタフェース１７４５を有する第１のアクセスデバイス１７４０と、第２のユーザインタフェース１７５５を有する第２のアクセスデバイス１７５０と、を含む。幾つかの例では、データ源１７１０及び外部システム１７２０を単一のシステム内で実現することが可能である。幾つかの例では、複数のデータ源１７１０及び／または外部システム１７２０をネットワーク１２３０を介して連絡させることが可能である。データ源１７１０及び外部システム１７２０は、ネットワーク１７３０を介してアクセスデバイス１７４０、１７５０のうちの１つまたは幾つかと通信することが可能である。アクセスデバイス１７４０、１７５０のうちの１つまたは幾つかは、ネットワーク１７３０を介してデータ源１７１０及び／または外部システム１７２０と通信することが可能である。幾つかの例では、アクセスデバイス１７４０、１７５０はネットワーク１７３０を介して、通信インタフェース（例えば、有線式またはワイヤレス式の通信コネクタ／接続（例えば、カード、ボード、ケーブル、ワイヤ及び／またはイーサネット（商標）、ＩＥＥＥ１３９４、ＵＢＳ、シリアルポート、パラレルポート、その他といった別のアダプタ）を用いて互いに通信することが可能である。ネットワーク１７３０は、例えばインターネット、イントラネット、プライベートネットワーク、有線式またはワイヤレス式ローカルエリアネットワーク、有線式またはワイヤレス式ワイドエリアネットワーク、携帯電話ネットワーク及び／または適当な別の任意のネットワークによって実現可能である。
【００５３】
データ源１７１０及び／または外部システム１７２０は、査読、オプション評価及び／または別の用途のために画像、レポート、ガイドライン、最適実施及び／または別のデータをアクセスデバイス１７４０、１７５０に提供することが可能である。幾つかの例ではデータ源１７１０は、セッションやコンファレンスに関連付けされた情報及び／または別の情報をアクセスデバイス１７４０、１７５０から受け取ることが可能である。幾つかの例では外部システム１７２０は、セッションやコンファレンスに関連付けされた情報及び／または別の情報をアクセスデバイス１７４０、１７５０から受け取ることが可能である。データ源１７１０及び／または外部システム１７２０は、ＰＡＣＳ、ＲＩＳ、ＨＩＳ、ＣＶＩＳ、ＥＭＲ、アーカイブ、データ庫、撮像モダリティ（例えば、Ｘ線、ＣＴ、ＭＲ、超音波、核医学撮像、その他）、支払者システム、プロバイダスケジュール設定システム、ガイドラインソース、病院コストデータシステム及び／または別のヘルスケアシステムなどのシステムを用いて実施することが可能である。
【００５４】
アクセスデバイス１７４０、１７５０は、例えばワークステーション（ラップトップ、デスクトップ、タブレット型コンピュータ、その他）あるいは移動式デバイスを用いて実施することが可能である。幾つかの移動式デバイスは例えば、スマートフォン（例えば、ＢｌａｃｋＢｅｒｒｙ（商標）、ｉＰｈｏｎｅ（商標）、その他）、移動式インターネットデバイス（ＭＩＤ）、携帯情報端末、携帯電話、ハンドヘルド型コンピュータ、タブレット型コンピュータ（ｉＰａｄ（商標））、その他を含む。幾つかの例では、セキュリティ標準、仮想プライベートネットワークアクセス、暗号化、その他を用いて、ネットワーク１７３０を介したアクセスデバイス１７４０、１７５０、データ源１７１０及び／または外部システム１７２０の間での安全な接続を維持することが可能である。
【００５５】
データ源１７１０は、画像（例えば、大きな画像データ組）及び／または別のデータをアクセスデバイス１７４０、１７５０に提供することが可能である。データ組内の部分、サブ部分及び／または個々の画像は、例えばアクセスデバイス１７４０、１７５０による要求に従ってアクセスデバイス１７４０、１７５０に提供することが可能である。ある種の例では、ユーザが査読のために元になる画像データを要求するまでこの元になる画像データに代えて、アクセスデバイス１７４０、１７５０に対してデータ源１７１０からデータ組内の部分、サブ部分及び／または個々の画像を表すグラフィック表示（例えば、サムネイル及び／またはアイコン）がユーザに対する表示用に提供される。幾つかの例では、データ源１７１０はさらに、結果、レポート及び／または別の情報をアクセスデバイス１７４０、１７５０に提供するかつ／またはアクセスデバイス１７４０、１７５０から受け取ることが可能である。
【００５６】
例えば外部システム１７２０は、結果、レポート及び／または別の情報をアクセスデバイス１７４０、１７５０に提供するかつ／またはアクセスデバイス１７４０、１７５０から受け取ることが可能である。幾つかの例では、外部システム１７２０はさらに画像及び／または別のデータをアクセスデバイス１７４０、１７５０に提供することが可能である。データ組内の部分、サブ部分、及び／または個々の画像は、例えばアクセスデバイス１７４０、１７５０による要求に従ってアクセスデバイス１７４０、１７５０に提供することが可能である。ある種の例では、ユーザが査読のために元になる画像データを要求するまでこの元になる画像データに代えて、アクセスデバイス１７４０、１７５０に対して外部システム１７２０からデータ組内の部分、サブ部分及び／または個々の画像を表すグラフィック表示（例えば、サムネイル及び／またはアイコン）がユーザに対する表示用に提供される。
【００５７】
データ源１７１０及び／または外部システム１７２３０は、ＰＡＣＳ、ＲＩＳ、ＨＩＳ、ＣＶＩＳ、ＥＭＲ、アーカイブ、データ庫、撮像モダリティ（例えば、Ｘ線、ＣＴ、ＭＲ、超音波、核医学撮像、その他）などのシステムを用いて実施することが可能である。
【００５８】
上で検討したように幾つかの例ではアクセスデバイス１７４０、１７５０は、スマートフォン（例えば、ＢｌａｃｋＢｅｒｒｙ（商標）、ｉＰｈｏｎｅ（商標）、ｉＰａｄ（商標）、その他）、移動式インターネットデバイス（ＭＩＤ）、携帯情報端末、携帯電話、ハンドヘルド型コンピュータ、その他を用いて実施することが可能である。アクセスデバイス１７４０、１７５０は、アクセスデバイス１７４０、１７５０、データ源１７１０及び／または外部システム１７３０の位置においてデータの取り出し、機能の実行、及びデータの保存を行うプロセッサを含む。このプロセッサは、ユーザに対して情報及び機能を提供すると共に、デバイス１７４０、１７５０の制御、情報の編集その他のためにユーザ入力を受け取るグラフィカルユーザインタフェース（ＧＵＩ）１７４５、１７５５を駆動させている。ＧＵＩ１７４５、１７５５は、例えばアクセスデバイス１７４０、１７５０と一体化させかつ／またはこれに装着したタッチパッド／画面を含むことが可能である。デバイス１７４０、１７５０は、データ及びツールを含んだ１つまたは複数の内部メモリ及び／または別のデータ保存を含む。データ記憶は、アクセスデバイス１７４０、１７５０、その他と通信する多種多様な内部及び／または外部メモリ、ディスク、ブルートゥースリモート記憶装置のうちの任意のものを含むことが可能である。ＧＵＩ１７４５、１７５５を介して受け取ったユーザ入力並びにデータ及び／またはツールからの情報及び／または機能を用いてプロセッサは、大きなデータ組からの画像に関するナビゲーション及びアクセスを行うと共に、例えばアクセスデバイス１７４０、１７５０の位置でアクティビティに関連する１つまたは複数のレポートを作成することが可能である。ジェスチャベースのナビゲーション／操作に対する別法としてまたは追加として、加速度計、位置エンコーダ（例えば、絶対式、増分式、光学式、アナログ式、ディジタル式、その他）、全地球的測位センサ及び／または別のセンサその他などの検出器を用いてアクセスデバイス１７４０、１７５０の動作（例えば、シェイク動作、回転またはツイスト動作、左右の回転、前後の動作、その他）を検出することが可能である。検出した動作を用いて、アクセスデバイス１７４０、１７５０の位置における動作及び／または結果に影響を与えることが可能である。アクセスデバイス１７４０、１７５０のプロセッサは例えば、リモートデバイスに対する及び／またはこれからのデータのクエリー、取り出し及び／または送信のために通信インタフェース構成要素を含むことかつ／またはこれと通信することが可能である。
【００５９】
アクセスデバイス１７４０、１７５０は、通信構成要素向けのための記述または識別子（ネットワークデバイスＭＡＣアドレス、電話番号、ＧＳＭ電話のシリアル番号、国際移動式装置識別子及び／または別のデバイス特定用フィーチャ（ただし、これらに限らない）を含む）を規定する標準及びプロトコルに従うように構成することが可能である。これらの識別子はデバイス認証に関するセキュリティ要件を満たすことができる。この識別子は迅速であり自然でありかつ直観的な認証方法を提供するために、個人識別番号、キーワード、サインを描く／書く（テキストを書く、記号を書く、パターンを描く、ジェスチャを行う、その他（ただし、これらに限らない）を含む）、その他（ただし、これらに限らない）などの入力デバイスにレバレッジを供与する（ｌｅｖｅｒａｇｅ）フロントエンドユーザインタフェース構成要素と組み合わせて使用される。移動式デバイスのユーザインタフェース上のアニメーション効果の表示を通じて認証の成否に関するフィードバックをユーザに対して提供することが可能である。例えばそのデバイスは、ユーザ認証が失敗したときに画面のシェイク動作を提供することが可能である。安全な接続を維持するために、セキュリティ標準、仮想プライベートネットワークアクセス、暗号化、その他を用いることが可能である。
【００６０】
例えばエンドユーザは、セキュリティアプリケーション（あるセキュリティ等級を要求する臨床応用（ただし、これらに限らない）を含む）を起動させる。このアプリケーションは、そのデバイスの一意の識別用フィーチャを読み取ると共に、サーバーまたはデータ提供システムとで認証「ハンドシェイク」を実行する。この処理はユーザによる入力や関与を要求しないように自動化されている。デバイスの認証が終わった後に、ユーザが確かに有資格のユーザであることをアプリケーションに対して明確にするために（個人識別番号（ＰＩＮ）、パスワード／パスコード、ジェスチャ、その他（ただし、これらに限らない）を含む）アプリケーション／ユーザレベルの認証画面がユーザに対して提示される。このフィーチャは例えば、デバイスレベルのセキュリティ並びにデバイスをロックする能力（例えば、ユーザがデバイスの一時的なロックを希望するがアプリケーションのログアウト／シャットダウンは希望しない場合）を提供するための方法の役割をする。
【００６１】
図１８は、本明細書に記載したシステム、装置及び方法を実現するために使用し得る例示のプロセッサシステム１８１０のブロック図である。図１８に示すようにプロセッサシステム１８１０は、相互接続バス１８１４に結合されたプロセッサ１８１２を含む。プロセッサ１８１２は、適当な任意のプロセッサ、処理ユニットまたはマイクロプロセッサとすることがある。図１８には図示していないが、システム１８１０はマルチプロセッサシステムとすることがあり、またこのためプロセッサ１８１２と同一または同様でありかつ相互接続バス１８１４と通信可能に結合された１つまたは複数の追加のプロセッサを含むことがある。
【００６２】
図１８のプロセッサ１８１２は、メモリコントローラ１８２０及び入力／出力（Ｉ／Ｏ）コントローラ１８２２を含んだチップセット１８１８に結合されている。よく知られているようにチップセットは典型的には、チップセット１８１８に結合された１つまたは複数のプロセッサによりアクセス可能またはこれにより使用されるような、Ｉ／Ｏ及びメモリ管理機能、並びに複数の汎用及び／または特殊目的のレジスタ、タイマ、その他を提供する。メモリコントローラ１８２０は、プロセッサ１８１２（複数のプロセッサが存在する場合は複数のプロセッサ）に対してシステムメモリ１８２４及び大容量記憶メモリ１８２５へのアクセスを可能とさせる機能を実行する。
【００６３】
システムメモリ１８２４は、例えばスタチック・ランダムアクセスメモリ（ＳＲＡＭ）、ダイナミック・ランダムアクセスメモリ（ＤＲＡＭ）、フラッシュメモリ、読み出し専用メモリ（ＲＯＭ）、その他などの所望の任意のタイプの揮発性及び／または不揮発メモリを含むことがある。大容量記憶メモリ１８２５は、ハードディスクドライブ、光学式ドライブ、テープ記憶デバイス、その他を含む所望の任意のタイプの大容量記憶デバイスを含むことがある。
【００６４】
Ｉ／Ｏコントローラ１８２２はプロセッサ１８１２に対して、Ｉ／Ｏバス１８３２を介した周辺入力／出力（Ｉ／Ｏ）デバイス１８２６及び１８２８並びにネットワークインタフェース１８３０との通信を可能とさせる機能を実行する。Ｉ／Ｏデバイス１８２６及び１８２８は、例えばキーボード、ビデオディスプレイまたはモニタ、マウス、その他など所望の任意のタイプのＩ／Ｏデバイスとすることがある。ネットワークインタフェース１８３０は例えば、プロセッサシステム１８１０に対して別のプロセッサシステムとの通信を可能とさせているイーサネットデバイス、非同期転送モード（ＡＴＭ）デバイス、８０２．１１デバイス、ＤＳＬモデム、ケーブルモデム、携帯電話モデム、その他とすることがある。
【００６５】
図１８にはメモリコントローラ１８２０及びＩ／Ｏコントローラ１８２２をチップセット１８１８内部の別々のブロックとして図示しているが、これらのブロックにより実行される機能は単一の半導体回路内部に一体化されることがあり、あるいは２つ以上の単独の集積回路を用いて実現されることもある。
【００６６】
したがってある種の例は、大きな画像データ組に対する表示及びナビゲーションのためのシステム及び方法を提供する。ある種の例は、ユーザが特定の画像を選択したときに画像データが表示のためにロードされるようなハンドヘルド型及び／または別の移動式デバイスを介した単一のユーザ観察及びナビゲーションを容易にするために、サムネイルまたは大きなデータ組の一部分に関するアイコン像に関する技術的効果を提供する。
【００６７】
ある種の実施形態は、上に記載した機能を実現するための方法、システム並びに任意のマシン読み取り可能媒体上のコンピュータプログラム成果物を企図している。ある種の実施形態は例えば、既存のコンピュータプロセッサを用いるか、本目的や別の目的のために組み込んだ特殊目的コンピュータプロセッサによるか、あるいは配線接続システム及び／またはファームウェアシステムによるか、によって実現させることができる。
【００６８】
上述したシステムの構成要素及び／または方法のステップの１つまたは幾つかは、単独で実現されることも、例えばハードウェア、ファームウェアの組み合わせ及び／またはソフトウェア内の１組の命令として実現されることもある。ある種の実施形態は、汎用コンピュータまたは別の処理デバイス上で実行するためにメモリ、ハードディスク、ＤＶＤまたはＣＤなどのコンピュータ読み取り可能な媒体上に常駐させた１組の命令として提供されることがある。本発明のある種の実施形態は、方法ステップのうちの１つまたは幾つかが省略されること、かつ／または列挙したこの順序と異なる順序でステップを実行することがあり得る。例えば本発明のある種の実施形態では、幾つかのステップが実行されないことがある。別の例としてある種のステップが、上に列挙したのと異なる時間順序（同時を含む）で実行されることがある。
【００６９】
ある種の実施形態は、コンピュータ実行可能命令を搭載したまたは有するコンピュータ読み取り可能媒体、あるいはこの上に保存されたデータ構造を含む。こうしたコンピュータ読み取り可能媒体は、汎用または特殊目的のコンピュータあるいはプロセッサを備えた別のマシンによってアクセスを受けることができる入手可能な任意の媒体とすることができる。一例としてこうしたコンピュータ読み取り可能媒体は、ＲＡＭ、ＲＯＭ、ＰＲＯＭ、ＥＰＲＯＭ、ＥＥＰＲＯＭ、Ｆｌａｓｈ、ＣＤ−ＲＯＭやその他の光ディスク記憶装置、磁気ディスク記憶装置やその他の磁気記憶デバイス、あるいはコンピュータ実行可能命令またはデータ構造の形態をした所望のプログラムコードを搭載または保存するために使用可能でありかつ汎用または特殊目的のコンピュータあるいはプロセッサを備えた別のマシンによってアクセスすることが可能な別の任意の媒体を含むことがある。コンピュータ読み取り可能媒体の範囲には、上述のものの組み合わせも含む。コンピュータ実行可能命令は例えば、汎用のコンピュータ、特殊目的コンピュータまたは特殊目的の処理マシンにある機能またはある機能群を実行させる命令及びデータを含む。
【００７０】
一般に、コンピュータ実行可能命令は、特定のタスクを実行するあるいは特定の抽象データタイプを実現するようなルーチン、プログラム、オブジェクト、コンポーネント、データ構造、その他を含む。コンピュータ実行可能命令、対応するデータ構造、及びプログラムモジュールによって、本明細書に開示したある種の方法及びシステムのステップを実行するためのプログラムコードの例が表される。こうした実行可能命令または対応するデータ構造からなるこのシーケンスによって、これらのステップに記述された機能を実現するための対応する作業の例が表される。
【００７１】
本発明の実施形態は、プロセッサを有する１つまたは複数の遠隔コンピュータに対するロジック接続を用いたネットワーク環境内で実施することができる。ロジック接続には、ローカルエリアネットワーク（ＬＡＮ）、ワイドエリアネットワーク（ＷＡＮ）、ワイヤレスネットワーク、携帯電話ネットワーク、その他（ただし、ここでは単に一例を提示したものであり限定ではない）を含むことがある。こうしたネットワーク環境は、事業所域内や企業域内のコンピュータネットワーク、イントラネット及びインターネットにおいて極く一般的なものであると共に、広範に異なる多種多様な通信プロトコルを用いることがある。こうしたネットワークコンピュータ処理環境が典型的には、パーソナルコンピュータ、ハンドへルド型デバイス、マルチプロセッサシステム、マイクロプロセッサベースまたはプログラム可能な民生用電子機器、ネットワークＰＣ、ミニコンピュータ、メインフレームコンピュータ、その他を含む多くのタイプのコンピュータシステム構成を包含することになることは当業者であれば理解されよう。本発明の実施形態はさらに、通信ネットワークを通して（有線式リンク、ワイヤレス式リンク、または有線式とワイヤレス式リンクの組み合わせのいずれかによって）リンクさせたローカルやリモートの処理デバイスによってタスクが実行されるような分散型コンピュータ処理環境で実施されることもある。分散型コンピュータ処理環境では、ローカルとリモートの両方のメモリ記憶デバイスにプログラムモジュールを配置させることがある。
【００７２】
本発明の実施形態のシステム全体またはその一部分を実現するための例示的な一システムは、処理ユニットと、システムメモリと、システムメモリを含む様々なシステム構成要素を処理ユニットに結合させるシステムバスと、を含むようなコンピュータの形態をした汎用コンピュータ処理デバイスを含むこともあり得る。このシステムメモリは、読み出し専用メモリ（ＲＯＭ）やランダムアクセスメモリ（ＲＡＭ）を含むことがある。このコンピュータはさらに、磁気ハードディスクに対して書き込みや読み出しをするための磁気ハードディスクドライブと、取外し可能磁気ディスクに対して書き込みや読み出しをするための磁気ディスクドライブと、ＣＤ  ＲＯＭその他の光学式媒体などの取外し可能光ディスクに対して書き込みや読み出しをするための光ディスクドライブと、を含むことがある。これらのドライブ並びにその対応するコンピュータ読み取り可能媒体は、コンピュータ実行可能命令、データ構造、プログラムモジュール及びコンピュータに関するその他のデータに対する不揮発性記憶を提供する。
【００７３】
本発明に関してある種の実施形態を参照しながら記載してきたが、本発明の趣旨を逸脱することなく様々な変更が可能であると共に等価物による置換が可能であることは当業者であれば理解するであろう。さらに多くの修正形態により、本発明の趣旨を逸脱することなく具体的な状況や材料を本発明の教示に適応させることができる。したがって、開示した特定の実施形態に本発明を限定しようという意図ではなく、本発明は添付の特許請求の範囲の域内に入るすべての実施形態を包含するように意図している。
【符号の説明】
【００７４】
１１０  データ組
１２０  データ組のチャンク／部分／セクション
１３０  データ組のサブチャンク
２１０  ジェスチャ
３１０  オブジェクト
３２０  オブジェクト
３３０  オブジェクト
４００  流れ図
５００  大きなデータ組のビュー
５１０  画像バンドル
５２０  インジケータ
５３０  ワークリストボタン
５４０  サムネイル設定ボタン
５５０  アクティビティインジケータ
６００  大きなデータ組のビュー
６１０  タップ
６２０  バンドル
７００  データ組のビュー
７１０  バンドル
７２０  周囲のバンドル
７３０  プログレスバー
８００  データ組のビュー
８１０  目下の選択組
８２０  追加のバンドル
８３０  アクティビティインジケータ
９００  データ組のビュー
９１０  画像バンドル
９２０  インジケータ
１０００  ナビゲーションのビュー
１０１０  スワイプ動作
１０２０  アクティビティインジケータ
１０３０  プログレスバー
１１００  データ組のビュー
１１１０  タッピング
１１２０  バンドル
１２００  データ組のビュー
１２１０  バンドル
１２２０  再位置決め
１３００  データ組のビュー
１３１０  選択したバンドル
１３２０  画像
１４００  画像ビュー
１４１０  ダブルタップジェスチャ
１４２０  ピンチジェスチャ
１５００  画像ビュー
１５１０  タップジェスチャ
１５２０  画像
１５３０  画像のロード
１６００  画像ビューワ
１７００  臨床事業システム
１７１０  データ源
１７２０  外部システム
１７３０  ネットワーク
１７４０  第１のアクセスデバイス
１７４５  第１のユーザインタフェース
１７５０  第２のアクセスデバイス
１７５５  第２のユーザインタフェース
１８００  プロセッサシステム
１８０２  プロセッサ
１８０４  相互接続バス
１８０６  チップセット
１８０８  メモリコントローラ
１８１０  Ｉ／Ｏコントローラ
１８１２  システムメモリ
１８１４  大容量記憶メモリ
１８１６  Ｉ／Ｏデバイス
１８１８  Ｉ／Ｏデバイス
１８２０  ネットワークインタフェース
【図１】
2012038309.tif 000003
【図２】
2012038309.tif 000004
【図３】
2012038309.tif 000005
【図４】
2012038309.tif 000006
【図５】
2012038309.tif 000007
【図６】
2012038309.tif 000008
【図７】
2012038309.tif 000009
【図８】
2012038309.tif 000010
【図９】
2012038309.tif 000011
【図１０】
2012038309.tif 000012
【図１１】
2012038309.tif 000013
【図１２】
2012038309.tif 000014
【図１３】
2012038309.tif 000015
【図１４】
2012038309.tif 000016
【図１５】
2012038309.tif 000017
【図１６】
2012038309.tif 000018
【図１７】
2012038309.tif 000019
【図１８】
2012038309.tif 000020